【手続補正書】
【提出日】平成19年4月5日(2007.4.5)
【手続補正１】
【補正対象書類名】明細書
【補正対象項目名】発明の名称
【補正方法】変更
【補正の内容】
【発明の名称】画像処理装置及び画像処理方法並びに記録媒体
【手続補正２】
【補正対象書類名】明細書
【補正対象項目名】特許請求の範囲
【補正方法】変更
【補正の内容】
【特許請求の範囲】
【請求項１】
画像データに人間の目に見えにくいようにレジストレーション信号を埋め込む画像処理方法であって、
前記画像データの周波数特性を判定する周波数特性判定ステップと、
前記画像データの周波数特性に応じて複数のレジストレーション信号の中から一つのレジストレーション信号を選択するレジストレーション信号選択ステップと、
前記画像データに対して、前記レジストレーション信号選択ステップによって選択されたレジストレーション信号を加算する加算ステップと、
を有することを特徴とする画像処理方法。
【請求項２】
前記周波数特性判定ステップは、前記画像データの周波数成分を用いて判定することを特徴とする請求項１に記載の画像処理方法。
【請求項３】
前記複数のレジストレーション信号は、互いに異なる周波数成分にインパルスを有することを特徴とする請求項１または請求項２に記載の画像処理方法。
【請求項４】
前記レジストレーション信号選択ステップは、高周波成分が少ない画像データに対しては前記複数のレジストレーション信号から低周波成分にインパルスを有するレジストレーション信号を選択し、高周波成分が多い画像データに対しては前記複数のレジストレーション信号から高周波成分にインパルスを有するレジストレーション信号を選択することを特徴とする請求項１乃至請求項３のいずれか１項に記載の画像処理方法。
【請求項５】
予め人間の目に見えにくいようにレジストレーション信号が埋め込まれており幾何変換が施されている可能性がある画像データを入力し、前記入力した画像データからレジストレーション信号を抽出し、レジストレーション処理を行なう画像処理方法であって、
前記画像データからレジストレーション信号を抽出するレジストレーション信号抽出ステップと、
前記画像データの周波数特性を判定する周波数特性判定ステップと、
前記抽出されたレジストレーション信号と前記周波数特性判定ステップの判定結果を用いて、前記画像データに施された幾何変換を特定する幾何変換特定ステップと、
前記特定された幾何変換の逆変換を行なう幾何変換ステップと、
を有することを特徴とする画像処理方法。
【請求項６】
前記周波数特性判定ステップは、前記画像データの周波数成分を用いて判定することを特徴とする請求項５に記載の画像処理方法。
【請求項７】
前記請求項１乃至請求項６のいずれか１項に記載の画像処理方法をコンピュータに実行させるためのコンピュータプログラムを記録したコンピュータ可読記録媒体。
【請求項８】
画像データに人間の目に見えにくいようにレジストレーション信号を埋め込む画像処理装置であって、
前記画像データの周波数特性を判定する周波数特性判定手段と、
前記画像データの周波数特性に応じて複数のレジストレーション信号の中から一つのレジストレーション信号を選択するレジストレーション信号選択手段と、
前記画像データに対して、前記レジストレーション信号選択手段によって選択されたレジストレーション信号を加算する加算手段と、
を有することを特徴とする画像処理装置。
【請求項９】
予め人間の目に見えにくいようにレジストレーション信号が埋め込まれており幾何変換が施されている可能性がある画像データを入力し、前記入力した画像データからレジストレーション信号を抽出し、レジストレーション処理を行なう画像処理装置であって、
前記画像データからレジストレーション信号を抽出するレジストレーション信号抽出手段と、
前記画像データの周波数特性を判定する周波数特性判定手段と、
前記抽出されたレジストレーション信号と前記判定された周波数特性判定手段の判定結果を用いて、前記画像データに施された幾何変換を特定する幾何変換特定手段と、
前記特定された幾何変換の逆変換を行なう幾何変換手段と、
を有することを特徴とする画像処理装置。
【手続補正３】
【補正対象書類名】明細書
【補正対象項目名】００１１
【補正方法】変更
【補正の内容】
【００１１】
即ち、画像データに人間の目に見えにくいようにレジストレーション信号を埋め込む画像処理方法であって、前記画像データの周波数特性を判定する周波数特性判定ステップと、前記画像データの周波数特性に応じて複数のレジストレーション信号の中から一つのレジストレーション信号を選択するレジストレーション信号選択ステップと、前記画像データに対して、前記レジストレーション信号選択ステップによって選択されたレジストレーション信号を加算する加算ステップと、を有することを特徴とする。
【手続補正４】
【補正対象書類名】明細書
【補正対象項目名】００１２
【補正方法】変更
【補正の内容】
【００１２】
そして例えば、更に、前記周波数特性判定ステップは、前記画像データの周波数成分を用いて判定することを特徴とする。
【手続補正５】
【補正対象書類名】明細書
【補正対象項目名】００１３
【補正方法】変更
【補正の内容】
【００１３】
また例えば、前記複数のレジストレーション信号は、互いに異なる周波数成分にインパルスを有することを特徴とする。
【手続補正６】
【補正対象書類名】明細書
【補正対象項目名】００１４
【補正方法】変更
【補正の内容】
【００１４】
更に例えば、前記レジストレーション信号選択ステップは、高周波成分が少ない画像データに対しては前記複数のレジストレーション信号から低周波成分にインパルスを有するレジストレーション信号を選択し、高周波成分が多い画像データに対しては前記複数のレジストレーション信号から高周波成分にインパルスを有するレジストレーション信号を選択することを特徴とする。
【手続補正７】
【補正対象書類名】明細書
【補正対象項目名】００１５
【補正方法】変更
【補正の内容】
【００１５】
また、予め人間の目に見えにくいようにレジストレーション信号が埋め込まれており幾何変換が施されている可能性がある画像データを入力し、前記入力した画像データからレジストレーション信号を抽出し、レジストレーション処理を行なう画像処理方法であって、前記画像データからレジストレーション信号を抽出するレジストレーション信号抽出ステップと、前記画像データの周波数特性を判定する周波数特性判定ステップと、前記抽出されたレジストレーション信号と前記周波数特性判定ステップの判定結果を用いて、前記画像データに施された幾何変換を特定する幾何変換特定ステップと、前記特定された幾何変換の逆変換を行なう幾何変換ステップと、を有することを特徴とする。
【手続補正８】
【補正対象書類名】明細書
【補正対象項目名】００１６
【補正方法】変更
【補正の内容】
【００１６】
そして例えば、更に、前記周波数特性判定ステップは、前記画像データの周波数成分を用いて判定することを特徴とする。
【手続補正９】
【補正対象書類名】明細書
【補正対象項目名】００１７
【補正方法】変更
【補正の内容】
【００１７】
画像データに人間の目に見えにくいようにレジストレーション信号を埋め込む画像処理装置であって、前記画像データの周波数特性を判定する周波数特性判定手段と、前記画像データの周波数特性に応じて複数のレジストレーション信号の中から一つのレジストレーション信号を選択するレジストレーション信号選択手段と、前記画像データに対して、前記レジストレーション信号選択手段によって選択されたレジストレーション信号を加算する加算手段と、を有することを特徴とする。
【手続補正１０】
【補正対象書類名】明細書
【補正対象項目名】００１８
【補正方法】変更
【補正の内容】
【００１８】
また、予め人間の目に見えにくいようにレジストレーション信号が埋め込まれており幾何変換が施されている可能性がある画像データを入力し、前記入力した画像データからレジストレーション信号を抽出し、レジストレーション処理を行なう画像処理装置であって、前記画像データからレジストレーション信号を抽出するレジストレーション信号抽出手段と、前記画像データの周波数特性を判定する周波数特性判定手段と、前記抽出されたレジストレーション信号と前記判定された周波数特性判定手段の判定結果を用いて、前記画像データに施された幾何変換を特定する幾何変換特定手段と、前記特定された幾何変換の逆変換を行なう幾何変換手段と、を有することを特徴とする。